(57)【特許請求の範囲】
【請求項１】
運転者の覚醒度を検出する覚醒度検出手段と、
前記運転者の覚醒度が所定範囲内にない場合に、運転者の手部に対して、前記運転者の覚醒度に応じた第１温度の風を送風することで、前記運転者の覚醒度が前記所定範囲内となるように、運転者に対して温度刺激を与える温度刺激付与手段と、
ステアリングホイールの表面温度を検出する温度検出手段と、
前記ステアリングホイールの表面温度が所定の温度範囲内にあるか否かを判断し、前記ステアリングホイールの表面温度が所定の温度範囲内にない場合に、ステアリングホイールに対して、ステアリングホイールの表面温度に応じた第２温度の風を送風することで、ステアリングホイールの表面温度が前記所定の温度範囲内となるように、ステアリングホイールの表面温度を調節するステアリング温度調節手段と、を備え、
前記温度刺激付与手段は、前記ステアリング温度調節手段によりステアリングホイールに対する送風が行われている間は、運転者の手部に対する送風を行わないことを特徴とする運転支援装置。
【請求項２】
請求項１に記載の運転支援装置であって、
前記ステアリング温度調節手段は、前記ステアリングホイールの表面温度が前記所定の温度範囲内にない場合に、前記温度刺激付与手段による運転者の手部に対する送風を禁止させ、ステアリングホイールに対する送風を行うことを特徴とする運転支援装置。
【請求項３】
請求項１または２に記載の運転支援装置であって、
前記覚醒度検出手段は、運転者の生体信号、運転者の顔画像、運転者による運転操作、および自車両の走行状態のうち、少なくとも１つに基づいて、前記運転者の覚醒度を検出することを特徴とする運転支援装置。
【請求項４】
請求項１〜３のいずれかに記載の運転支援装置であって、
前記温度刺激付与手段は、前記運転者の覚醒度が前記所定範囲よりも低い場合には、運転者の手部に対して冷風を送風し、前記運転者の覚醒度が前記所定範囲よりも高い場合には、運転者の手部に対して温風を送風することを特徴とする運転支援装置。
【請求項５】
請求項１〜３のいずれかに記載の運転支援装置であって、
前記温度検出手段は、ステアリングホイールの表面温度を直接計測することを特徴とする運転支援装置。
【請求項６】
請求項１〜５のいずれかに記載の運転支援装置であって、
前記温度刺激付与手段および前記ステアリング温度調節手段は、車室内を調温するための車室空調とは異なる温度の風を送風可能となっていることを特徴とする運転支援装置。
【請求項７】
請求項１〜６のいずれかに記載の運転支援装置であって、
前記ステアリング温度調節手段は、前記ステアリングホイール全体に風が当たるように、ステアリングホイールに対して、ステアリングホイールの表面温度に応じた前記第２温度の風を、拡散して送風することを特徴とする運転支援装置。
【請求項８】
請求項７に記載の運転支援装置であって、
前記ステアリング温度調節手段は、風を送風する方向を変化させることにより、ステアリングホイールに対して、ステアリングホイールの表面温度に応じた前記第２温度の風を、拡散して送風することを特徴とする運転支援装置。
【請求項９】
請求項１〜８のいずれかに記載の運転支援装置であって、
前記温度刺激付与手段は、運転者の手部に集中して風が当たるように、運転者の手部に対して、前記運転者の覚醒度に応じた前記第１温度の風を、集中して送風することを特徴とする運転支援装置。
【請求項１０】
請求項１〜９のいずれかに記載の運転支援装置であって、
運転者の手部を検出する運転者手部検出手段をさらに備え、
前記温度刺激付与手段は、前記運転者手部検出手段により検出された運転者の手部に対して、前記運転者の覚醒度に応じた前記第１温度の風が送風されるように、風を送風する方向を調節することを特徴とする運転支援装置。
【請求項１１】
請求項１〜１０のいずれかに記載の運転支援装置であって、
前記温度刺激付与手段は、ステアリングホイールの中心を通る水平面よりも下部に形成された吹き出し口を介して、運転者の手部の下方向から、運転者の手部に向けて送風を行うことで、主として、運転者の手部の掌側に温度刺激を与えることを特徴とする運転支援装置。
【請求項１２】
演算手段と、送風手段とを有し、運転者の覚醒度を検出し、検出した前記運転者の覚醒度が所定範囲内にない場合に、運転者の手部に対して、前記運転者の覚醒度に応じた第１温度の風を送風することで、前記運転者の覚醒度が所定範囲内となるように、運転者に対して温度刺激を与えるコンピュータが実行する運転支援方法であって、
ステアリングホイールの表面温度を検出し、前記ステアリングホイールの表面温度が、所定の温度範囲内にない場合には、ステアリングホイールに対して、ステアリングホイールの表面温度に応じた第２温度の風を送風することで、ステアリングホイールの表面温度が前記所定の温度範囲内となるように、ステアリングホイールの表面温度を調節し、
前記ステアリングホイールに対する送風が行われている間は、前記運転者の手部に対する送風を行わないことを特徴とする運転支援方法。
【発明の詳細な説明】
【技術分野】
【０００１】
本発明は、運転支援装置および運転支援方法に関するものである。
【背景技術】
【０００２】
従来より、運転者の手部に対して冷風を送風する技術が知られている（たとえば、特許文献１）。
【先行技術文献】
【特許文献】
【０００３】
【特許文献１】特開２００８−２７３４９８号公報
【発明の概要】
【発明が解決しようとする課題】
【０００４】
しかしながら、運転者が運転中に居眠りすることを防止するために、従来技術のように、運転者の手部に対して冷風を送風する場合、冬場など、ステアリングホイールの表面温度が低い場合には、運転者が受ける温度刺激は小さくなり、運転者の覚醒状態を適切な状態に円滑に誘導できない場合があった。
【０００５】
本発明が解決しようとする課題は、運転者の覚醒状態を適切な状態に円滑に誘導可能な運転支援装置を提供することである。
【課題を解決するための手段】
【０００６】
本発明は、運転者の覚醒度を検出し、検出した運転者の覚醒度が所定範囲内にない場合に、運転者の手部に対して、運転者の覚醒度に応じた第１温度の風を送風することで、運転者に対して温度刺激を与える運転支援装置において、ステアリングホイールの表面温度を検出し、ステアリングホイールの表面温度が所定の温度範囲内にない場合には、ステアリングホイールに対して、ステアリングホイールの表面温度に応じた第２温度の風を送風することで、ステアリングホイールの表面温度が所定の温度範囲内となるように、ステアリングホイールの表面温度を調節し、ステアリングホイールに対する送風が行われている間は、運転者の手部に対する送風を行わないことで、上記課題を解決する。
【発明の効果】
【０００７】
ステアリングホイールの表面温度が所定の温度範囲内にない場合に、ステアリングホイールに対して、ステアリングホイールの表面温度に応じた所定温度の風を送風することで、ステアリングホイールの表面温度を、運転者の覚醒状態を円滑に誘導するために適切な温度とすることができるため、運転者の覚醒状態を適切な状態に円滑に誘導することができる。
【図面の簡単な説明】
【０００８】
【図１】本実施形態に係る運転支援装置の車両配置関係を示す図である。
【図２】第１実施形態に係る運転支援装置の構成図（その１）である。
【図３】第１実施形態に係る運転支援装置の構成図（その２）である。
【図４】第１実施形態に係る運転支援処理を示すフローチャートである。
【図５】第２実施形態に係る運転支援装置の構成図である。
【図６】第２実施形態に係る運転支援処理を示すフローチャートである。
【図７】第３実施形態に係る兼用吹き出し口を示す断面図である。
【発明を実施するための形態】
【０００９】
以下、本発明の実施形態を図面に基づいて説明する。
【００１０】
≪第１実施形態≫
図１は、本実施形態に係る運転支援装置の車両配置関係を示す図である。本実施形態においては、図１に示すように、車両に搭載される運転支援装置について説明する。
【００１１】
図２は、第１実施形態に係る運転支援装置を示す構成図であり、運転者の覚醒度を検出するための各構成を示している。図２に示すように、本実施形態に係る運転支援装置は、運転者の覚醒度を検出するために、生体信号センサ１０１と、顔画像撮像カメラ１０２と、操舵角センサ１０３と、横Ｇセンサ１０４と、走行路撮像カメラ１０５と、処理装置１１０とを備える。
【００１２】
生体信号センサ１０１は、運転者の脳波、心拍数、および皮膚電位などの運転者の生体信号の検出を行う。生体信号センサ１０１により検出された生体信号は、処理装置１１０に送信される。
【００１３】
顔画像撮像カメラ１０２は、図１に示すように、運転者の顔面部を撮像することができるように、運転者の正面のインストルメントパネル内に設置され、運転者の顔面部を撮像する。顔画像撮像カメラ１０２により撮像された運転者の顔面部の画像データは、処理装置１１０に送信される。なお、顔画像撮像カメラ１０２は、画像処理機能を備える構成としてもよく、この場合、顔画像カメラ１０２を、時系列に沿って撮像した運転者の顔画像データに基づいて、運転者の眼の開閉状態や運転者の表情を検出し、運転者の眼の開閉判定や運転者の表情変化の判定を行い、これら判定結果を、処理装置１１０に送信する構成としてもよい。
【００１４】
操舵角センサ１０３は、ステアリングの操舵角の検出を行い、検出したステアリングの操舵角データを、処理装置１１０に送信する。また、横Ｇセンサ１０４は、車両に発生する横方向の加速度の検出を行い、検出した横方向の加速度データを、処理装置１１０に送信する。
【００１５】
走行路撮像カメラ１０５は、自車両前方の走行路を撮像し、撮像した走行路の画像データを、処理装置１１０に送信する。なお、走行路撮像カメラ１０５は、画像処理機能を備える構成としてもよく、この場合、走行路撮像カメラ１０５を、撮像した自車両前方の走行路の画像データに基づいて、自車両が走行する走行区分帯や前方車両を認識し、自車両と走行区分帯との距離や、自車両と前方車両との距離を算出し、算出結果を、処理装置１１０に送信する構成としてもよい。
【００１６】
処理装置１１０は、運転者の覚醒度を検出するための処理を行う。具体的には、処理装置１１０は、生体信号センサ１０１、顔画像撮像カメラ１０２、操舵角センサ１０３、横Ｇセンサ１０４、および走行路撮像カメラ１０５から、運転者の覚醒度を検出するための各種データを取得し、取得した各種データに基づいて、運転者の覚醒度の検出を行う。
【００１７】
例えば、処理装置１１０は、生体信号センサ１０１から運転者の脳波信号を取得し、運転中の運転者の脳波信号と、運転前の運転者の脳波信号とを比較することで、運転者の覚醒度を検出することができる。また、処理装置１１０は、顔画像撮像カメラ１０２から運転者の眼の開閉判定の結果を取得し、所定時間に発生した閉眼数の積算値に基づいて、運転者の覚醒度を算出することができる。さらに、処理装置１１０は、操舵角センサ１０３から操舵角データを時系列に沿って取得し、取得した操舵角の時系列データについて周波数分析を行い、操舵角の時系列データの周波数成分のうち特定周波数の積分値に基づいて、運転者の覚醒度を検出することができる。同様に、処理装置１１０は、横Ｇセンサ１０４から横方向の加速度データを時系列に沿って取得し、取得した横方向の加速度の時系列データについて周波数分析を行うことで、運転者の覚醒度を検出することができる。加えて、処理装置１１０は、走行路撮像カメラ１０５により撮像された自車両前方の走行路の画像データを時系列に沿って取得し、取得した画像データに基づいて、自車両と走行区分帯との距離を検出し、検出した自車両と走行区分帯との距離から、運転者の覚醒度を検出することができる。このように、本実施形態では、各種センサやカメラから取得したデータに基づいて、運転者の覚醒度を適切に検出することができる。
【００１８】
そして、処理装置１１０は、検出した運転者の覚醒度を、ＡＣ制御装置１４０に送信する。これにより、ＡＣ制御装置１４０により、運転者の覚醒状態を適切な状態に誘導するための処理が行われることとなる。
【００１９】
次に、図３を参照して、運転者の覚醒状態を誘導するための各構成について説明する。図３は、第１実施形態に係る運転支援装置を示す構成図であり、運転者の覚醒状態を誘導するための各構成を示している。図３に示すように、本実施形態に係る運転支援装置は、運転者の覚醒状態を誘導するために、室内気温計１２１、車外気温計１２２、ヒーターコア１３１、エバポレーター１３２、ＡＣ制御装置１４０、専用エアチャンバー１５１、ステアリング吹き出し口１５２、および運転者手部吹き出し口１５３を備える。なお、図３においては、各構成間における信号の流れを破線の矢印で、各構成間における空気の流れを実線の矢印で示している。
【００２０】
室内気温計１２１は、車室内の温度を計測し、計測した車室内の温度データを、ＡＣ制御装置１４０に送信する。また、車外気温計１２２は、車外の温度を計測し、計測した車外の温度データを、ＡＣ制御装置１４０に送信する。
【００２１】
ヒーターコア１３１は、エンジン冷却水を熱源として、専用チャンバー１５１および車室内チャンバー１６１に送風される空気を加熱する。また、エバポレーター１３２は、冷凍サイクルを構成し、熱交換により、専用チャンバー１５１および車室内チャンバー１６１に送風される空気を冷却する。なお、空気を加熱、冷却するための装置は、ヒーターコア１３１およびエバポレーター１３２に限定されず、空気を加熱、冷却可能な他の装置を用いてもよい。
【００２２】
専用チャンバー１５１では、ＡＣ制御装置１４０の制御により、ヒーターコア１３１により加熱された空気と、エバポレーター１３２により冷却された空気と、外気とが混合され、所定温度の風が生成される。そして、専用チャンバー１５１で生成された所定温度の風は、ステアリング吹き出し口１５２または運転者手部吹き出し口１５３から送風されることとなる。
【００２３】
ステアリング吹き出し口１５２からは、専用チャンバー１５１で生成された風が、ステアリングホイールに対して送風される。また、ステアリング吹き出し口１５２は、風が拡散して送風されるように構成されており、これにより、ステアリング吹き出し口１５２から送風された風が、ステアリングホイール全体に拡散して当たるようになっている。本実施形態においては、例えば、ステアリング吹き出し口１５２を、風を拡散して送風できるように、半円状の構造とすることができる。
【００２４】
また、運転者手部吹き出し口１５３からは、専用チャンバー１５１で生成された風が、運転者の手部に対して送風される。運転者手部吹き出し口１５３は、図１に示すように、インストルメントパネルのうち、ステアリングホイールの中心を通る水平面よりも下部に設置されており、これにより、運転者手部吹き出し口１５３から送風された風が、運転者の手部の下方向から、運転者の手部に向かって集中して送風されるようになっている。そのため、運転者手部吹き出し口１５３から送風される風は、主として、末梢自律神経が集まる運転者の手部の掌側に当たることとなり、運転者の末梢自律神経を刺激し、運転者の覚醒状態を円滑に誘導することができるようになっている。
【００２５】
なお、本実施形態においては、後述するＡＣ制御装置１４０の制御により、ステアリング吹き出し口１５２からの送風と、運転者手部吹き出し口１５３からの送風とが、切り替え可能となっている。すなわち、ステアリング吹き出し口１５２からステアリングホイールに対して送風が行われている際には、運転者手部吹き出し口１５３から運転者の手部に対して送風が行われないようになっており、また、運転者手部吹き出し口１５３から運転者の手部に対して送風が行われている際には、ステアリング吹き出し口１５２からステアリングホイールに対して送風が行われないようになっている。
【００２６】
ＡＣ制御装置１４０は、運転者の覚醒状態を適切な状態に誘導するために、処理装置１１０から運転者の覚醒度を取得し、運転者の覚醒度に応じた温度の風を、運転者の手部に対して送風する。
【００２７】
具体的には、ＡＣ制御装置１４０は、運転者の覚醒度が低い場合には、専用エアチャンバー１５１において、ヒーターコア１３１で加熱された空気と、エバポレーター１３２で冷却された空気と、外気とを混合して、例えば、皮膚温感感覚にて冷感を刺激する温度域のうち最も低温である１０℃の冷風を生成し、生成した冷風を、運転者手部吹き出し口１５３から、運転者の手部に集中して送風する。また、ＡＣ制御部１４０は、運転者の覚醒度が高い場合には、ヒーターコア１３１で加熱された空気と、エバポレーター１３２で冷却された空気と、外気とを混合して、例えば、皮膚温熱感覚にて最も温感を刺激する４０℃の温風を生成し、生成した温風を、運転者手部吹き出し口１５３から、運転者の手部に集中して送風する。
【００２８】
また、ＡＣ制御装置１４０は、運転者の覚醒状態を適切な状態に円滑に誘導するために、ステアリングホイールの表面温度の温度調節を行う。
【００２９】
具体的には、ＡＣ制御装置１４０は、まず、室内気温計１２１により計測された車室内の温度と、車外気温計１２２により計測された車外の温度とに基づいて、ステアリングホイールの表面温度を推定する。そして、ＡＣ制御装置１４０は、推定の結果に基づいて、ステアリングホイールの表面温度が、運転者の覚醒状態を円滑に誘導することができる温度範囲、例えば、温熱生理学的に中立温である３３℃を基準とした２８℃〜３８℃の温度範囲内となるように、ステアリングホイールの表面温度に応じた温度の風を生成する。そして、ＡＣ制御装置１４０は、生成した風を、ステアリング吹き出し口１５２から、ステアリングホイールに対して送風する。
【００３０】
さらに、本実施形態に係る運転支援装置は、図３に示すように、車室内の調温のために、車室用エアチャンバー１６１と複数の室内用吹き出し口１６２１〜１６２３とを備えている。車室用エアチャンバー１６１および複数の室内用吹き出し口１６２１〜１６２３も、ＡＣ制御装置１４０により制御され、車室内を調温するために、車室用エアチャンバー１６１において、ヒーターコア１３１で加熱された空気と、エバポレーター１３２で冷却された空気と、外気とが混合され、混合された空気が、各室内用吹き出し口１６２１〜１６２３から送風されるようになっている。なお、図３においては、３つの室内用吹き出し口１６２１〜１６２３を例示しているが、その数は、特に限定されるものではない。
【００３１】
このように、本実施形態においては、専用エアチャンバー１５１と、室内用エアチャンバー１６１とが別に設けられている。そのため、運転者の覚醒状態を誘導するための風を、車室内の温調する車室空調とは異なる温度の風として、ステアリングホイールおよび運転者の手部に対して送風することができるため、運転者の覚醒状態をより円滑に誘導することができる。
【００３２】
続いて、図４を参照して、第１実施形態の運転支援処理について説明する。図４は、第１実施形態に係る運転支援処理を示すフローチャートである。
【００３３】
まず、ステップＳ１０１では、処理装置１１０により、運転者の覚醒度を判定するための判定基準範囲の設定が行われる。
【００３４】
そして、ステップＳ１０２では、ＡＣ制御装置１４０により、室内気温計１２１により計測された車室内の温度データと、車外気温計１２２により計測された車外の温度データとが取得され、取得された車室内の温度データと車外の温度データとに基づいて、ステアリングホイールの表面温度が推定される。例えば、ＡＣ制御装置１４０は、取得された車室内の温度と車外の温度との差に、所定の係数を乗じることで、ステアリングホイールの表面温度を推定することができる。
【００３５】
ステップＳ１０３では、ＡＣ制御装置１４０により、ステップＳ１０２で推定されたステアリングホイールの表面温度が、運転者の覚醒状態を円滑に誘導することができる所定の温度範囲内にあるか否かの判定が行われる。例えば、ＡＣ制御装置１４０は、ステアリングホイールの表面温度が、温熱生理学的に中立温である３３℃を基準とした２８℃〜３８℃の温度範囲内にあるか否かを判定し、ステアリングホイールの表面温度が２８℃〜３８℃の温度範囲内にある場合には、ステアリングホイールの表面温度は、運転者の覚醒状態を円滑に誘導することができる所定の温度範囲内にあると判定することができる。ステアリングホイールの表面温度が、所定の温度範囲内にないと判定された場合はステップＳ１０４に進み、一方、ステアリングホイールの表面温度が、所定の温度範囲内にあると判定された場合はステップＳ１０５に進む。
【００３６】
ステップＳ１０４では、ＡＣ制御装置１４０により、ステアリングホイールの表面温度を、運転者の覚醒状態を円滑に誘導することができる温度とするために、ステアリングホイールの表面温度の温度調節が行われる。例えば、ＡＣ制御装置１４０は、ステアリングホイールの表面温度が所定の温度範囲に満たない場合は、ステアリングホイールの表面温度に応じた温風を生成し、生成した温風を、ステアリング吹き出し口１５２から、ステアリングホイールに対して送風する。また、ＡＣ制御装置１４０は、ステアリングホイールの表面温度が所定の温度範囲を超える場合は、ステアリングホイールの表面温度に応じた冷風を生成し、生成した冷風を、ステアリング吹き出し口１５２から、ステアリングホイールに対して送風する。これにより、ステアリングホイールの表面温度を、運転者の覚醒状態を円滑に誘導するための温度とすることができる。
【００３７】
ステップＳ１０５では、処理装置１１０により、運転者の覚醒度の検出が行われる。例えば、処理装置１１０は、操舵角センサ１０３から操舵角データを時系列に沿って取得し、取得した操舵角の時系列データについて周波数分析を行い、操舵角の時系列データの周波数成分のうち特定周波数の積分値に基づいて、運転者の覚醒度を検出することができる。
【００３８】
ステップＳ１０６では、処理装置１１０により、ステップＳ１０５で検出された運転者の覚醒度が、ステップＳ１０１で設定された判定基準範囲内にあるか否かの判定が行われる。運転者の覚醒度が判定基準範囲内にあると判定された場合は、運転者の覚醒状態は適切な状態にあるものと判断され、ステップＳ１１０に進む。一方、運転者の覚醒度が判定基準範囲内にないと判定された場合は、運転者の覚醒状態は適切な状態ではないものと判断され、ステップＳ１０７に進む。
【００３９】
ステップＳ１０７では、運転者の覚醒度が基準範囲内にないと判定されているため、処理装置１１０により、運転者の覚醒度が判定基準範囲を超えているか否かの判定が行われる。運転者の覚醒度が判定基準範囲を超えている場合は、ステップＳ１０９に進み、一方、運転者の覚醒度が判定基準範囲に満たない場合は、ステップＳ１０８に進む。
【００４０】
ステップＳ１０８では、運転者の覚醒度が判定基準範囲に満たないため、運転者の覚醒状態は低い状態であり、例えば、運転者は眠い状態にあるものと考えられる。そこで、ステップＳ１０８では、ＡＣ制御装置１４０により、低くなっている運転者の覚醒状態を適切な状態に誘導するために、運転者手部冷却処理が行われる。具体的には、ＡＣ制御装置１４０は、ヒーターコア１３１、エバポレーター１３２、および専用チャンバー１５１を制御して、例えば、皮膚温感感覚にて冷感を刺激する温度のうち最も低温である１０℃の冷風を生成し、生成した冷風を、運転者手部吹き出し口１５３を介して、運転者の手部に集中して送風する。これにより、運転者の手部が冷風により刺激され、低くなっている運転者の覚醒状態を適切な状態に誘導することができる。
【００４１】
一方、ステップＳ１０９では、運転者の覚醒度が判定基準範囲を超えているため、運転者の覚醒状態は高い状態であり、例えば、運転者はイライラした状態にあるものと考えられる。そこで、ステップＳ１０９では、ＡＣ制御装置１４０により、高くなっている運転者の覚醒状態を適切な状態に誘導するために、運転者手部温熱処理が行われる。具体的には、ＡＣ制御装置１４０は、ヒーターコア１３１、エバポレーター１３２、および専用チャンバー１５１を制御して、例えば、皮膚温熱感覚のうち最も温感を刺激する４０℃の温風を生成し、生成した温風を、運転者手部吹き出し口１５３を介して、運転者の手部に集中して送風する。これにより、運転者の手部が温風により刺激され、高くなっている運転者の覚醒状態を適切な状態に誘導することができる。
【００４２】
そして、ステップＳ１１０では、ＡＣ制御装置１４０により、イグニッションがオフであるか否かの判定が行われる。イグニッションがオンであると判定された場合は、ステップＳ１０５に戻り、再度、運転者の覚醒度の検出が行われる。一方、イグニッションがオフであると判定された場合は、この運転支援処理を終了する。
【００４３】
以上のように、第１実施形態に係る運転支援装置は、ステアリングホイールの表面温度が、運転者の覚醒状態を円滑に誘導することができる温度ではない場合に、ステアリングホイールに対して、ステアリングホイールの表面温度に応じた所定温度の風を送風することで、ステアリングホイールの表面温度を、運転者の覚醒状態を円滑に誘導することができる温度となるように調節する。これにより、第１実施形態によれば、運転者の覚醒状態を誘導する際に、ステアリングホイールの表面温度が、運転者の覚醒状態を円滑に誘導することができる温度となっているため、運転者の覚醒状態を適切な状態に円滑に誘導することができる。また、本実施形態では、ステアリングホイールの表面温度を、運転者の覚醒状態を円滑に誘導することができる温度に調節した後に、運転者の覚醒状態を誘導することため、ＡＣ制御装置１４０による送風効率を高めることもできる。
【００４４】
さらに、第１実施形態においては、ステアリング吹き出し口１５２から、ステアリングホイールの表面温度を調節するための風が、ステアリングホイール全体に対して、拡散して送風されるため、ステアリングホイールの表面温度を素早く調節することができる。さらに、ステアリング吹き出し口１５２から送風された風が、ステアリングホイール全体に当たることで、運転者の手部に当たる風の風量を相対的に少なくすることができ、ステアリングホイールの表面温度を調節する際に、運転者の手部に風が当たることによる運転者の不快感を抑えることができる。また、運転者手部吹き出し口１５３からは、運転者の手部に対して集中して送風が行われるため、運転者の手部に集中して風が当たり、運転者の覚醒状態をより円滑に誘導することができる。
【００４５】
加えて、第１実施形態では、室内気温計１２１および車外気温計１２２という、車室内の温調を制御するための既存の構成を用いて、ステアリングホイールの表面温度を推定することで、ステアリングホイールの表面温度を計測するための温度センサを新たに追加するコストを軽減することができる。
【００４６】
≪第２実施形態≫
次に、図５を用いて、第２実施形態に係る運転支援装置について説明する。図５は、第２実施形態に係る運転支援装置の構成図である。第２実施形態に係る運転支援装置は、以下に説明する点以外は、第１実施形態に係る運転支援装置と同様の構成を有し、第１実施形態に係る運転支援装置と同様の動作を行う。なお、図５においても、図３と同様に、各構成間における信号の流れを破線の矢印で、各構成間における空気の流れを実線の矢印で示している。
【００４７】
図５に示すように、第２実施形態に係る運転支援装置は、第１実施形態のステアリング吹き出し口１５２および運転者手部吹き出し口１５３に代えて、兼用吹き出し口２５０を備え、第１実施形態の室内気温計１２１および車外気温計１２２に代えて、ステアリング温度計２２０を備えている。
【００４８】
兼用吹き出し口２５０は、風の送風方向が変化可能となっており、これにより、ステアリングホイールに対しても、運転者の手部に対しても、送風が可能となっている。例えば、兼用吹き出し口２５０に、風の送風方向を調節するためのグリルを設け、ＡＣ制御装置１４０により、このグリルのルーバを制御することで、兼用吹き出し口２５０から送風される風の送風方向を変化させることができる。この場合、グリルのルーバを、運転者の手部に向けることにより、運転者の手部に対して集中して風を送風することができ、また、グリルのルーバを、左右上下にスイングすることで、ステアリングホイール全体に、拡散して風を送風することができる。
【００４９】
ステアリング温度計２２０は、ステアリングホイール上に設置され、ステアリングホイールの表面温度を直接に計測する。ステアリング温度計２２１により計測されたステアリングホイールの表面温度データは、ＡＣ制御装置１４０に送信される。
【００５０】
次に、図６を参照して、第２実施形態に係る運転支援処理について説明する。図６は、第２実施形態に係る運転支援処理を示すフローチャートである。
【００５１】
ステップＳ２０１では、第１実施形態のステップＳ１０１と同様に、運転者の覚醒度を判定するための判定基準範囲の設定が行われる。
【００５２】
そして、ステップＳ２０２では、ステアリング温度計２２０により、ステアリングホイールの表面温度の計測が行われ、計測されたステアリングホイールの表面温度のデータが、ＡＣ制御装置１４０に送信される。
【００５３】
ステップＳ２０３では、第１実施形態のステップＳ１０３と同様に、ＡＣ制御装置１４０により、ステップＳ２０２で計測されたステアリングホイールの表面温度が、所定の温度範囲内にあるか否かの判定が行われ、ステアリングホイールの表面温度が所定の温度範囲内にないと判定された場合は、ステップＳ２０４に進み、一方、ステアリングホイールの表面温度が所定の温度範囲内にあると判定された場合はステップＳ２０５に進む。
【００５４】
ステップＳ２０４では、ステアリングホイールの表面温度が所定の温度範囲内にないと判定されているため、ＡＣ制御装置１４０により、ステアリングホイールの表面温度を調節するための処理が行われる。第２実施形態において、ＡＣ制御装置１４０は、兼用吹き出し口２２０を制御して、兼用吹き出し口２２０から送風される風の送風方向を変化させることで、ステアリングホイール全体に、ステアリングホイールの表面温度に応じた温度の風を、拡散して送風する。これにより、ステアリングホイールの表面温度を、所定の温度範囲内とすることができる。
【００５５】
続くステップＳ２０５〜Ｓ２０７では、第１実施形態のステップＳ１０５〜Ｓ１０７と同様に、運転者の覚醒度が検出され（ステップＳ２０５）、検出された運転者の覚醒度が判定基準範囲内にあるか判定され（ステップＳ２０６）、検出された運転者の覚醒度が判定基準範囲内にない場合には（ステップＳ２０６＝ＮＯ）、運転者の覚醒度が判定基準範囲を超えるか否かの判定が行わる（ステップＳ２０７）。運転者の覚醒度が判定基準範囲を超える場合は（ステップＳ２０７＝ＹＥＳ）、ステップＳ２０９に進み、運転者の覚醒度が判定基準範囲に満たない場合は（ステップＳ２０７＝ＮＯ）、ステップＳ２０８に進む。
【００５６】
ステップＳ２０８では、運転者の覚醒度が判定基準範囲に満たないため、運転者の覚醒状態は低い状態であり、例えば、運転者は眠い状態にあるものと考えられる。そこで、ステップＳ２０８では、ＡＣ制御装置１４０により、低くなっている運転者の覚醒状態を適切な状態に誘導するために、運転者手部冷却処理が行われる。第２実施形態において、ＡＣ制御装置１４０は、兼用吹き出し口２５０を制御して、運転者の手部に対して集中して風が送風されるように、兼用吹き出し口２５０から送風される風の送風方向を調節し、例えば、皮膚温感感覚にて冷感を刺激する温度のうち最も低温である１０℃の冷風を、運転者の手部に対して、集中して送風する。これにより、運転者の手部が冷風により刺激され、低くなっている運転者の覚醒状態を適切な状態に誘導することができる。
【００５７】
一方、ステップＳ２０９では、運転者の覚醒度が判定基準範囲を超えているため、運転者の覚醒状態は高い状態であり、例えば、運転者はイライラした状態にあるものと考えられる。そこで、ステップＳ２０９では、ＡＣ制御装置１４０により、高くなっている運転者の覚醒状態を適切な状態に誘導するために、運転者手部温熱処理が行われる。この場合も、ステップＳ２０８と同様に、ＡＣ制御装置１４０は、兼用吹き出し口２５０を制御して、運転者の手部に対して集中して風が送風されるように、兼用吹き出し口２５０から送風される風の送風方向を調節する。そして、ＡＣ制御装置１４０は、例えば、皮膚温熱感覚のうち最も温感を刺激する４０℃の温風を、運転者の手部に対して、集中して送風する。これにより、運転者の手部が温風により刺激され、高くなっている運転者の覚醒状態を適切な状態に誘導することができる。
【００５８】
そして、ステップＳ２１０では、イグニッションがオフとなっているか否か判断され、イグニッションがオンであると判断された場合は、ステップＳ２０２に戻り、ステアリングの表面温度の検出が行われる。一方、イグニッションがオフであると判断された場合は、この運転支援処理を終了する。
【００５９】
以上のように、第２実施形態に係る運転支援装置は、兼用吹き出し口２５０により、風の送風方向を変化させて、ステアリングホイールおよび運転者の手部に対して送風を行う。このように、第２実施形態では、兼用吹き出し口２５０のみにより、ステアリングホイールおよび運転者の手部に対して送風を行うことができるため、第１実施形態の効果に加えて、装置全体の小型化を図ることができる。さらに、第２実施形態では、ステアリング温度計２２０により、ステアリングホイールの表面温度を直接に計測することができるため、ステアリングホイールの表面温度をより正確に計測することもできる。
【００６０】
≪第３実施形態≫
次に、第３実施形態に係る運転支援装置について説明する。第３実施形態に係る運転支援装置は、兼用吹き出し口３２０が、第２実施形態に係る兼用吹き出し口２２０と異なる以外は、第２実施形態に係る運転支援装置と同様の構成を有し、第２実施形態に係る運転支援装置と同様の動作を行う。以下において、図７を参照して、第３実施形態に係る兼用吹き出し口３２０について説明する。なお、図７は、兼用吹き出し口３２０を示す断面図である。
【００６１】
図７（Ａ）に示すように、兼用吹き出し口３２０には、ステアリングホイールに対して送風を行うためのステアリング吹き出し口３５２と、運転者の手部に対して送風を行うための運転者手部吹き出し口３５３とが形成されている。また、運転者手部吹き出し口３５３には、電動ダンパ３５４が設けられている。この電動ダンパ３５４は、ＡＣ制御装置１４０によりその動作が制御され、運転者手部吹き出し口３５３を開閉することが可能となっている。
【００６２】
具体的には、電動ダンパ３５４は、運転者の手部に対して送風を行う際に、運転者手部吹き出し口３５３を開放するように制御され、これにより、図７（Ｂ）に示すように、運転者手部吹き出し口３５３から、運転者の手部に対して風が送風されることとなる。なお、図７（Ｂ）においては、風の送風方向を白抜きの矢印で示している（図７（Ｃ）においても同様。）。特に、第３実施形態に係る兼用吹き出し口３２０では、図７（Ｂ）に示すように、ステアリング吹き出し口３５２の導入部３５５が、所定温度の風の送風方向（白抜きの矢印の方向）とは反対方向から風が導入されるように形成されているため、運転者の手部に対して送風が行われている際に、ステアリング吹き出し口３５２からの送風が行われないようになっている。
【００６３】
また、電動ダンパ３５４は、ステアリングホイールに対して送風を行う際には、図７（Ｃ）に示すように、ステアリング吹き出し口３５２を塞ぐように制御され、これにより、風が、ステアリング吹き出し口３５２の導入部３５５へと導かれ、ステアリング吹き出し口３５２から送風が行われることとなる。
【００６４】
以上のように、第３実施形態に係る運転支援装置は、兼用吹き出し口３２０を備え、兼用吹き出し口３２０の電動ダンパ３５４を制御することで、風が送風される吹き出し口を、ステアリング吹き出し口３５２と運転者手部吹き出し口３５３とで切り替え可能としている。これにより、第３実施形態においては、第２実施形態の効果に加えて、電動ダンパ３５４を制御することだけで、スタリングホイールに対する送風と、運転者の手部に対する送風とを切り替えることができ、運転者の覚醒状態の誘導およびステアリングホイールの表面温度の温度調節をより適切に行うことができる。
【００６５】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００６６】
例えば、上述した実施形態では、運転者の覚醒度を検出するために、生体信号センサ１０１、顔画像撮像カメラ１０２、操舵角センサ１０３、横Ｇセンサ１０４、および走行路撮像カメラ１０５を備える構成としていたが、これに限定されるものではなく、例えば、アクセルペダルの踏み込み量を検出するアクセルセンサや、ブレーキペダルの踏み込み量を検出するブレーキセンサを用いて、運転者の覚醒度を検出する構成としてもよい。また、上述した実施形態においては、生体信号センサ１０１、顔画像撮像カメラ１０２、操舵角センサ１０３、横Ｇセンサ１０４、および走行路撮像カメラ１０５を備える構成を例示したが、これらの装置を全て備える構成に限定されるものではなく、これらの装置のうち、いずれか１つ、または２以上の組み合わせを任意に選択してもよい。
【００６７】
また、上述した実施形態においては、運転者の手部を撮像するカメラなど、運転者の手部を検出するための運転者手部検出装置をさらに備える構成としてもよい。この場合、ＡＣ制御装置１４０は、運転者手部検出装置により検出された運転者の手部に、集中して風を当てることができ、運転者の覚醒状態をより円滑に誘導することができる。
【００６８】
なお、上述した実施形態の処理装置１１０は、本発明の覚醒度検出手段に、ＡＣ制御装置１４０は、本発明の温度刺激付与手段、温度検出手段、およびステアリング温度調節手段にそれぞれ相当する。
【符号の説明】
【００６９】
１０１…生体信号センサ
１０２…顔画像撮像カメラ
１０３…操舵角センサ
１０４…横Ｇセンサ
１０５…走行路撮像カメラ
１１０…処理装置
１２１…室内気温計
１２２…車外気温計
１３１…ヒーターコア
１３２…エバポレーター
１４０…ＡＣ制御装置
１５１…専用エアチャンバー
１５２…ステアリング吹き出し口
１５３…運転者手部吹き出し口
１５４…電動ダンパ
１６１…車室用エアチャンバー
１６２…車室用吹き出し口
２２０…ステアリング温度計
２５０…兼用吹き出し口
【図１】
0005671992.tif 000002
【図２】
0005671992.tif 000003
【図３】
0005671992.tif 000004
【図４】
0005671992.tif 000005
【図５】
0005671992.tif 000006
【図６】
0005671992.tif 000007
【図７】
0005671992.tif 000008